【手続補正書】
【提出日】平成26年1月20日(2014.1.20)
【手続補正１】
【補正対象書類名】特許請求の範囲
【補正対象項目名】全文
【補正方法】変更
【補正の内容】
【特許請求の範囲】
【請求項１】
映像を表示する表示部と、
光の透過と遮断とを切り換え可能な複数の液晶バリアを有する液晶バリア部と
を備え、
前記液晶バリア部は、
液晶層と、
前記液晶層を挟むように構成された第１の基板および第２の基板と
を有し、
前記第１の基板は、前記液晶バリアに対応する位置にそれぞれ形成された駆動電極を有し、
前記第２の基板は、
第１の共通電極と、
前記第１の共通電極と前記液晶層との間に形成された第２の共通電極と
を有する
表示装置。
【請求項２】
前記液晶バリア部の各液晶バリアを駆動する駆動部を備え、
前記駆動部は、前記第１の共通電極および前記第２の共通電極のうちの、少なくとも第１の共通電極を駆動する
請求項１に記載の表示装置。
【請求項３】
前記駆動部は、前記第２の共通電極をも駆動する
請求項２に記載の表示装置。
【請求項４】
前記第２の共通電極は、前記液晶バリアに対応する位置に複数のスリットを有する
請求項１から請求項３のいずれか一項に記載の表示装置。
【請求項５】
前記液晶バリアは所定の方向に延伸するように形成され、
前記第２の共通電極は、
前記液晶バリアに対応する位置に形成された、前記所定の方向に延伸する幹スリット部分と、
前記幹スリット部分の両側に形成された複数の枝スリット部分と
を有する
請求項４に記載の表示装置。
【請求項６】
前記液晶バリアは所定の方向に延伸するように形成され、
前記第２の共通電極は、
前記液晶バリアに対応する位置に形成された、前記所定の方向に延伸する幹部分と、
前記幹部分の両側に形成された複数の枝部分と
を有し、
前記複数の枝部分が前記複数のスリットを構成する
請求項４に記載の表示装置。
【請求項７】
前記第１の共通電極および前記第２の共通電極の間に配置された絶縁層を
さらに備えた
請求項１から請求項６のいずれか一項に記載の表示装置。
【請求項８】
３次元映像表示モードおよび２次元映像表示モードを含む複数の表示モードを有し、
前記複数の液晶バリアは、複数の第１の液晶バリアおよび複数の第２の液晶バリアを有し、
前記３次元映像表示モードでは、前記表示部が複数の異なる視点映像を表示し、前記複数の第１の液晶バリアが透過状態になるとともに、前記複数の第２の液晶バリアが遮断状態になることにより、３次元映像を表示し、
前記２次元映像表示モードでは、前記表示部が１つの視点映像を表示し、前記複数の第１の液晶バリアおよび前記複数の第２の液晶バリアが透過状態になることにより、２次元映像を表示する
請求項１から請求項７のいずれか一項に記載の表示装置。
【請求項９】
前記複数の第１の液晶バリアは、複数のバリアグループにグループ分けされ、
前記３次元映像表示モードでは、前記複数の第１の液晶バリアは、バリアグループごとに、時分割的に透過状態および遮断状態との間で切り換わる
請求項８に記載の表示装置。
【請求項１０】
前記表示部は液晶表示部であり、
バックライトをさらに備え、
前記液晶表示部は、前記バックライトと前記液晶バリア部との間に配置されている
請求項１から請求項９のいずれか一項に記載の表示装置。
【請求項１１】
前記表示部は液晶表示部であり、
バックライトをさらに備え、
前記液晶バリア部は、前記バックライトと前記液晶表示部との間に配置されている
請求項１から請求項９のいずれか一項に記載の表示装置。
【請求項１２】
光の透過と遮断とを切り換え可能な複数の液晶バリアを駆動し、
前記液晶バリアの駆動に同期して映像を表示し、
前記液晶バリアを駆動する際、
前記液晶バリアに対応する位置にそれぞれ形成された複数の駆動電極に駆動信号を印加し、
前記複数の駆動電極に対して液晶層を介して離間して形成された第１の共通電極および前記第１の共通電極と前記液晶層との間に形成された第２の共通電極のうちの、少なくとも前記第１の共通電極に第１の共通信号を印加する
表示装置の駆動方法。
【請求項１３】
さらに、前記第２の共通電極に第２の共通信号を印加する
請求項１２に記載の表示装置の駆動方法。
【請求項１４】
前記第１の共通信号および前記第２の共通信号は、互いに等しい直流電圧を有する直流信号であり、
前記駆動信号は、前記直流電圧を中心電圧とした交流駆動信号である
請求項１３に記載の表示装置の駆動方法。
【請求項１５】
前記第１の共通信号は直流信号であり、
前記駆動信号は、前記共通信号の直流電圧を中心電圧とした交流駆動信号である
請求項１２に記載の表示装置の駆動方法。
【請求項１６】
液晶層と、
前記液晶層を挟むように構成された第１の基板および第２の基板と
を備え、
前記第１の基板は複数の駆動電極を有し、
前記第２の基板は、
第１の共通電極と、
前記第１の共通電極と前記液晶層との間に形成された第２の共通電極と
を有する
バリア装置。
【請求項１７】
第１の基板に複数の駆動電極を形成する工程と、
第２の基板に、第１の共通電極を形成し、その上に前記第１の共通電極と離間して第２の共通電極を形成する工程と、
前記第１の基板と、前記第２の基板の、前記第１の共通電極および前記第２の共通電極が形成された側との間に液晶層を封止する工程と、
少なくとも前記第２の共通電極および前記複数の駆動電極を通じて、前記液晶層に電圧を印加しつつ、前記液晶層を露光することにより、前記液晶層にプレチルトを付与する工程と
を含むバリア装置の製造方法。
【請求項１８】
前記液晶層にプレチルトを付与する工程では、前記第１の共通電極にも、電圧を印加する
請求項１７に記載のバリア装置の製造方法。
【請求項１９】
前記第１の共通電極と前記駆動電極との間の電位差が、前記第２の共通電極と前記駆動電極との間の電位差よりも小さくなるように、前記第１の共通電極および前記第２の共通電極に電圧を印加する
請求項１８に記載のバリア装置の製造方法。
【請求項２０】
前記第１の共通電極の電圧と前記第２の共通電極の電圧が等しい
請求項１８に記載のバリア装置の製造方法。
【手続補正２】
【補正対象書類名】明細書
【補正対象項目名】００１７
【補正方法】変更
【補正の内容】
【００１７】
［構成例］
（全体構成例）
図１は、実施の形態に係る立体表示装置１の一構成例を表すものである。立体表示装置１は、液晶バリアを用いた、パララックスバリア方式の表示装置である。なお、本開示の実施の形態に係る表示装置の駆動方法、バリア装置、およびバリア装置の製造方法は、本実施の形態により具現化されるので、併せて説明する。立体表示装置１は、制御部４０と、表示駆動部５０と、表示部２０と、バックライト駆動部４２と、バックライト３０と、バリア駆動部４１と、液晶バリア部１０とを備えている。
【手続補正３】
【補正対象書類名】明細書
【補正対象項目名】００５１
【補正方法】変更
【補正の内容】
【００５１】
（全体動作概要）
まず、図１を参照して、立体表示装置１の全体動作概要を説明する。制御部４０は、外部より供給される映像信号Ｓdispに基づいて、表示駆動部５０、バックライト駆動部４２、およびバリア駆動部４１に対してそれぞれ制御信号を供給し、これらがお互いに同期して動作するように制御する。バックライト駆動部４２は、制御部４０から供給されるバックライト制御信号ＣＢＬに基づいてバックライト３０を駆動する。バックライト３０は、面発光した光を表示部２０に対して射出する。表示駆動部５０は、制御部４０から供給される映像信号Ｓに基づいて表示部２０を駆動する。表示部２０は、バックライト３０から射出した光を変調することにより表示を行う。バリア駆動部４１は、制御部４０から供給されるバリア制御信号ＣＢＲに基づいてバリア駆動信号ＤＲＶを生成し、液晶バリア部１０に供給する。液晶バリア部１０の開閉部１１，１２（１２Ａ，１２Ｂ）は、バリア制御信号ＣＢＲに基づいて開閉動作を行い、バックライト３０から射出し表示部２０を透過した光を透過または遮断する。
【手続補正４】
【補正対象書類名】明細書
【補正対象項目名】００５４
【補正方法】変更
【補正の内容】
【００５４】
映像信号ＳＡが供給された場合には、図１０（Ａ）に示したように、表示部２０の画素Ｐｉｘのそれぞれは、映像信号ＳＡに含まれる６つの視点映像のそれぞれに対応する画素情報Ｐ１〜Ｐ６を表示する。このとき、画素情報Ｐ１〜Ｐ６は、開閉部１２Ａ付近に配置された画素Ｐｉｘにそれぞれ表示される。映像信号ＳＡが供給された場合には、液晶バリア部１０では、開閉部１２Ａが開状態（透過状態）になるとともに、開閉部１２Ｂが閉状態になるように制御されている。表示部２０の各画素Ｐｉｘから出た光は、開閉部１２Ａによりそれぞれ角度が制限されて出力される。観察者は、例えば左眼で画素情報Ｐ３を、右眼で画素情報Ｐ４を見ることにより、立体的な映像を見ることができる。
【手続補正５】
【補正対象書類名】明細書
【補正対象項目名】００５５
【補正方法】変更
【補正の内容】
【００５５】
映像信号ＳＢが供給された場合には、図１０（Ｂ）に示したように、表示部２０の画素Ｐｉｘのそれぞれは、映像信号ＳＢに含まれる６つの視点映像のそれぞれに対応する画素情報Ｐ１〜Ｐ６を表示する。このとき、画素情報Ｐ１〜Ｐ６は、開閉部１２Ｂ付近に配置された画素Ｐｉｘにそれぞれ表示される。映像信号ＳＢが供給された場合には、液晶バリア部１０では、開閉部１２Ｂが開状態（透過状態）になるとともに、開閉部１２Ａが閉状態になるように制御されている。表示部２０の各画素Ｐｉｘから出た光は、開閉部１２Ｂによりそれぞれ角度が制限されて出力される。観察者は、例えば左眼で画素情報Ｐ３を、右眼で画素情報Ｐ４を見ることにより、立体的な映像を見ることができる。
【手続補正６】
【補正対象書類名】明細書
【補正対象項目名】００６９
【補正方法】変更
【補正の内容】
【００６９】
図１３は、液晶バリア部１０の開動作時（透過動作時）における、液晶層３００の液晶分子Ｍの配向を表すものである。この例では、電圧Ｖａ，Ｖｂは共に１０Ｖであり、透明電極層３１２には０Ｖが印加されている。なお、この条件は、電圧Ｖａ，Ｖｂが共に０Ｖであり、透明電極層３１２（透明電極１２０）には−１０Ｖが印加されている場合と同等である。図１３に示したように、液晶分子Ｍは、その長軸が等電位面Ｌと平行になるように配向する。この条件では、等電位分布が液晶層３００内においてほぼ平坦になることから、液晶層３００内の液晶分子Ｍは、その長軸が基板面に平行な方向になるように、ほぼ一様に配向する。
【手続補正７】
【補正対象書類名】明細書
【補正対象項目名】００７２
【補正方法】変更
【補正の内容】
【００７２】
液晶層３００の透過率Ｔは、液晶分子Ｍが基板面に平行な方向に配向することにより高くなる。よって、この例は、透明電極層３２２に対して１０．５Ｖ程度の電圧Ｖｂを印加したときに、等電位分布が最も平坦になることを意味している。このように、等電位分布を平坦にするために透明電極層３２２に対して印加する電圧Ｖｂ（１０．５Ｖ）が、透明電極層３２４に印加する電圧Ｖａ（１０Ｖ）よりも若干高いのは、絶縁層３２３に起因している。すなわち、透明電極層３２２に１０．５Ｖを印加すると、透明電極層３２４のスリット部分を介して、駆動基板３１０の透明電極層３１２との間の液晶層３００および絶縁層３２３において電界が生じ、そのスリット部分における電圧が約１０Ｖになる。これにより、透明電極層３２４において、電極が配置されている部分と、配置されていない部分（スリット部分）とで電圧がほぼ同じになり、液晶層３００に印加される電圧が均一になる。このように、透明電極層３２２に印加する電圧を、透明電極層３２４に印加する電圧に比べて、絶縁層３２３の分だけ高くすることにより、等電位分布を平坦にすることができる。
【手続補正８】
【補正対象書類名】明細書
【補正対象項目名】００９８
【補正方法】変更
【補正の内容】
【００９８】
図２０は、本変形例に係る液晶バリア部における透明電極層３１２，３２４Ｂの一構成例を表すものである。透明電極層３２４Ｂは、透明電極１１０，１２０に対応する部分において、透明電極１１０，１２０の延伸方向に延伸する幹部分６１Ｂを有している。また、透明電極層３２４Ｂには、その幹部分６１Ｂの延伸方向に沿って複数のサブ電極領域７０Ｂが並設されている。各サブ電極領域７０Ｂは、幹部分６２Ｂと、枝部分６３Ｂとを有している。幹部分６２Ｂは、幹部分６１Ｂと交差する方向に延伸するように形成されており、この例では、水平方向Ｘの方向に延伸している。各サブ電極領域７０Ｂには、幹部分６１Ｂおよび幹部分６２Ｂにより区切られた４つの枝領域（ドメイン）７１Ｂ〜７４Ｂが設けられている。枝領域７１Ｂ〜７４Ｂの枝部分６３Ｂは、各領域内において同じ方向に延伸している。これらの枝部分６３Ｂの間の領域が、上記実施の形態における枝スリット６３に対応する。なお、図２０では、水平方向Ｘに隣接するサブ電極領域７０Ｂは、互いに接続されていないが、これに限定されるものではなく、例えば、幹部分６２Ｂを延ばすことにより互いに接続してもよい。
【手続補正９】
【補正対象書類名】明細書
【補正対象項目名】０１１１
【補正方法】変更
【補正の内容】
【０１１１】
このように、開閉部１２Ａ，１２Ｂ，１２Ｃを時分割的に交互に開放して映像を表示することにより、この変形例に係る立体表示装置は、開閉部１２Ａのみをもつ場合に比べ、３倍の解像度を実現することが可能となる。言い換えれば、この立体表示装置の解像度は、２次元表示の場合に比べ１／２（＝１／６×３）で済むこととなる。
【手続補正１０】
【補正対象書類名】図面
【補正対象項目名】図１１
【補正方法】変更
【補正の内容】
【図１１】
2012185396.tif 000001
【手続補正１１】
【補正対象書類名】図面
【補正対象項目名】図１９
【補正方法】変更
【補正の内容】
【図１９】
2012185396.tif 000002
【手続補正１２】
【補正対象書類名】図面
【補正対象項目名】図２１
【補正方法】変更
【補正の内容】
【図２１】
2012185396.tif 000003